(57)【特許請求の範囲】
【請求項１】
室内機本体に設けられる空気吸込み口と吹出し口とを連通する送風路中に、エアフィルタ、熱交換器、送風機が順に配置されるとともに、上記エアフィルタに付着した塵埃を自動的に除去し清掃するエアフィルタ清掃装置を備えた空気調和機の室内機において、
上記エアフィルタ清掃装置は、
上記室内機本体に設けられ、上記エアフィルタを所定の空気濾過位置から移動変位させるエアフィルタ移動機構と、
上記室内機本体に設けられ、上記エアフィルタ移動機構によって移動変位させられるエアフィルタに摺接し、エアフィルタに付着する塵埃を除去するブラシユニットと、
上記室内機本体に着脱自在に取付けられ、少なくとも上記ブラシユニットを囲み、ブラシユニットがエアフィルタから除去した塵埃を受け入れるダストボックスと、を具備し、
上記ダストボックスは、互いに連結される第１のボックス部と第２のボックス部とからなり、
上記第１のボックス部に、一対の平行な平行辺部と、この平行辺部と連設され、平行辺部の間隔寸法よりも大なる直径寸法の円形部とからなる長孔支持部が設けられ、
上記第２のボックス部に、上記第１のボックス部に設けられる長孔支持部の円形部と同一直径で、かつ平行辺部の間隔寸法と同一の間隔寸法の平坦部が形成される受けピン部が設けられ、
第２のボックス部の受けピン部は、第１のボックス部の長孔支持部に嵌め込まれ、平行辺部と円形部のいずれにも変位自在であり、
室内機本体内に取付けられた状態と、室内機本体から取外し、および取付ける状態でボックス構造を保持し、室内機本体外部において第１のボックス部に対して第２のボックス部は回動自在であることを特徴とする空気調和機の室内機。
【発明の詳細な説明】
【技術分野】
【０００１】
本発明は、エアフィルタを自動で清掃するエアフィルタ清掃装置を備えた空気調和機の室内機に係り、特にエアフィルタ清掃装置を構成し、エアフィルタから除去した塵埃を貯留するダストボックスの構造改良に関する。
【背景技術】
【０００２】
空気調和機の室内機は、室内機本体内に収容される熱交換器の前面側にエアフィルタが取付けられていて、本体内に吸込まれた室内空気を濾過し、清浄空気のみを熱交換器に導く。長期の使用に亘ればエアフィルタに付着した塵埃が堆積するので、ユーザは適宜期間の間隔でエアフィルタを取外し、エアフィルタから塵埃を除去する必要がある。
【０００３】
しかるに、この作業は手間がかかり面倒であり、エアフィルタは放置され易い。そこで、たとえば［特許文献１］には、エアフィルタを室内機本体から取外すことなく、室内機本体内に配置したままで、エアフィルタに付着する塵埃を自動的に除去するエアフィルタ自動清掃機能を備えた空気調和機が開示される。
【０００４】
ただし、エアフィルタから除去した塵埃はダストボックスに溜められ、いずれはダストボックス内に塵埃が満杯になる。この状態で報知信号が出されるので、ユーザは本体ユニットからダストボックスを取出して塵埃を排出し、空にしたダストボックスを再び本体ユニットの所定部位に取付けなければならない。
【先行技術文献】
【特許文献】
【０００５】
【特許文献１】特開２００８−０５７８８２号公報
【発明の概要】
【発明が解決しようとする課題】
【０００６】
ところで上述の［特許文献１］は、ダストボックスの内部に清掃ブラシを回転自在に支持し、さらにダストボックスに開口部を形成し、この開口部から清掃ブラシを突出させている。そして、清掃ブラシを開口部の内面に接触させて、開口部を清掃ブラシで塞いでいることを特徴としている。
【０００７】
実施例では、ダストボックスの開口部に略円弧状断面の覆い部材が、好ましくは着脱自在に取付けられている。ダストボックス内に塵埃が溜まったことを報知されたとき、ユーザはダストボックスを本体ユニットから取外し、さらにダストボックスから回転ブラシと覆い部材を取外して、ダストボックスに溜まった塵埃を排出することになる。
【０００８】
このとき、清掃ブラシにはエアフィルタから除去し、ダストボックスに排出されない塵埃が残るとともに、覆い部材にも塵埃が付着している。ユーザが清掃ブラシと覆い部材をダストボックスから取外すとき、および取付けるとき、手指がこれら塵埃に接触して汚れ、あるいは周辺部に落下して清潔性を確保できない虞れが充分にある。
【０００９】
本発明は上記事情にもとづきなされたものであり、その目的とするところは、エアフィルタに付着する塵埃を自動的に除去してダストボックスに貯溜させ、ダストボックスが塵埃で満杯になった状態で、塵埃を排出する際の作業手間の簡素化と、この作業中に塵埃が手指に付着したり、周辺部に落下して汚すことのないよう清潔性を確保できる空気調和機の室内機を提供しようとするものである。
【課題を解決するための手段】
【００１０】
上記目的を満足するため本発明の空気調和機の室内機は、室内機本体に設けた空気吸込み口と吹出し口とを連通する送風路中に、エアフィルタ、熱交換器、送風機を順に配置し、かつエアフィルタに付着した塵埃を自動的に除去し清掃するエアフィルタ清掃装置を備える。  
上記エアフィルタ清掃装置は、室内機本体に設けられエアフィルタを所定の空気濾過位置から移動変位させるエアフィルタ移動機構と、室内機本体に設けられエアフィルタ移動機構によって移動変位させられるエアフィルタに摺接して付着している塵埃を除去するブラシユニットと、室内機本体に着脱自在に取付けられ少なくともブラシユニットを囲みエアフィルタから除去した塵埃を受け入れるダストボックスとを具備する。  
上記ダストボックスは、互いに連結される第１のボックス部と第２のボックス部とからなる。
上記第１のボックス部に、一対の平行な平行辺部と、この平行辺部と連設され平行辺部の間隔寸法よりも大なる直径寸法の円形部とからなる長孔支持部が設けられる。
上記第２のボックス部に、第１のボックス部に設けられる長孔支持部の円形部と同一直径で、かつ平行辺部の間隔寸法と同一の間隔寸法の平坦部が形成される受けピン部が設けられる。
第２のボックス部の受けピン部は、第１のボックス部の長孔支持部に嵌め込まれ、平行辺部と円形部のいずれにも変位自在である。
室内機本体内に取付けられた状態と、室内機本体から取外し、および取付ける状態でボックス構造を保持し、室内機本体外部において第１のボックス部に対して第２のボックス部は回動自在とする。
【発明の効果】
【００１１】
本発明によれば、ダストボックスが塵埃で満杯になった状態で、ダストボックスから塵埃を排出する際の作業手間の簡素化と、このとき塵埃が手指に付着したり、周辺部に落下することのないよう清潔性を確保する等の効果を奏する。
【図面の簡単な説明】
【００１２】
【図１】本発明における実施の形態に係る、空気調和機の室内機の縦断面図。
【図２】同実施の形態に係る、室内機の主要構成部品である支持枠構造体の斜視図。
【図３】同実施の形態に係る、エアフィルタ清掃装置部分の拡大した縦断面図。
【図４】同実施の形態に係る、エアフィルタ清掃装置要部の斜視図。
【図５】同実施の形態に係る、支持枠構造体からエアフィルタ清掃装置を取外し、かつ分解した斜視図。
【図６】同実施の形態に係る、エアフィルタ清掃装置を構成するダストボックスの取外し作業を説明する図。
【図７】同実施の形態に係る、ダストボックスの斜視図と、塵埃を排出する状態でのダストボックスの斜視図。
【図８】同実施の形態に係る、室内機本体から取外したダストボックスの側面図と、塵埃を排出する状態でのダストボックスの側面図。
【図９】同実施の形態に係る、室内機本体から取外したダストボックスの断面図と、塵埃を排出する状態でのダストボックスの断面図。
【発明を実施するための形態】
【００１３】
以下、本発明の実施の形態を、図面にもとづいて説明する。  
図１は、空気調和機の室内機の縦断面図である。  
室内機本体１は、前面、上面および左右両側面筐体を構成する前面パネル２と、下面および背面筐体を構成する後本体３とからなる。前面パネル２の前面部に前面吸込み口４が設けられ、上面部に上面吸込み口５が開口される。
【００１４】
上記前面吸込み口４には、開閉駆動機構に支持される開閉パネル２Ａが開閉自在に嵌め込まれる。上記前面パネル２は、開閉駆動機構を持たない固定されたパネルでも良い。上面吸込み口５には枠状の桟が嵌め込まれ、常時、開放状態にある。  
上記後本体３には、エアフィルタＦを支持するエアフィルタ支持枠６Ａと、熱交換器７および、室内送風機８が支持され、吹出し口９が設けられる。室内送風機８が駆動されることで、室内機本体１内には、前面吸込み口４および上面吸込み口５、エアフィルタＦ、熱交換器７、室内送風機８と、吹出し口９を順次連通する送風路１０が形成される。
【００１５】
上記吹出し口９には２枚の吹出しルーバ１１ａ，１１ｂが設けられる。これら吹出しルーバ１１ａ，１１ｂは、回動姿勢によって吹出し口９を開閉し、かつ運転条件に応じて熱交換空気の吹出し方向を設定する。  
上記熱交換器７は、前側熱交換器部７Ａと後側熱交換器部７Ｂとで略逆Ｖ字状に形成される。前側熱交換器部７Ａは、前面吸込み口４全体および上面吸込み口５一部と対向するよう湾曲状に形成される。後側熱交換器部７Ｂは、直状で斜めに傾斜し上面吸込み口５一部と対向している。
【００１６】
上記熱交換器７は、図示しない室外機に収容される圧縮機や室外熱交換器などと冷媒管を介して連通され、これらで冷凍サイクルが構成される。前側熱交換器部７Ａの下端部は前ドレンパン１２ａ上に載り、後側熱交換器部８Ｂの下端部は後ドレンパン１２ｂ上に載る。上記室内送風機８は、前後側熱交換器部７Ａ，７Ｂ相互間に配置される。
【００１７】
上記エアフィルタ支持枠６Ａの下端部に沿って、エアフィルタ清掃装置Ｓを支持する清掃装置支持枠６Ｂが一体に設けられ、これらエアフィルタ支持枠６Ａと清掃装置支持枠６Ｂで支持枠構造体Ｋが構成される。上記エアフィルタ清掃装置Ｓは、エアフィルタ支持枠６Ａと吹出し口９の上部側吹出しルーバ１１ａとの間に沿って介設される。
【００１８】
図２は、支持枠構造体Ｋの斜視図である。  
図１および図２に示すように、上記エアフィルタ支持枠６Ａは前面枠体１４ａと後面枠体１４ｂとを重ね合せて構成される。前面枠体１４ａと後面枠体１４ｂとの間には仕切りガイド桟が設けられ、前面枠体１４ａと仕切りガイド桟との間と、仕切りガイド桟と後面枠体１４ｂとの間のそれぞれに、空間スペースが確保される。
【００１９】
前面枠体１４ａの下端部は、清掃装置支持枠６Ｂの前端部と連結され、後面枠体１４ｂの下端部は清掃装置支持枠６Ｂの後端部と連結される。仕切りガイド桟の上端部は板厚しかなく、下端部は断面三角袋状に形成される。したがって、仕切りガイド桟に対する前面枠体１４ａと後面枠体１４ｂとの間隔は全て同一に設定される。
【００２０】
エアフィルタ支持枠６Ａの中央部の縦桟ａを境に、左右両側に２枚の上記エアフィルタＦが支持される。後述するエアフィルタＦに対する清掃時以外の通常の状態、すなわち空調運転時および運転停止時においては、各エアフィルタＦは前面枠体１４ａと仕切りガイド桟との間の空間スペースに収容支持される。
【００２１】
つぎに、上記エアフィルタＦとエアフィルタ清掃装置Ｓについて説明する。  
図３は、エアフィルタ清掃装置Ｓとその周辺部を拡大した縦断面図。図４は、エアフィルタＦに対するエアフィルタ清掃装置Ｓ要部の斜視図。図５は、支持枠構造体Ｋからエアフィルタ清掃装置Ｓ主要部を取外すとともに、エアフィルタ清掃装置Ｓを分解した斜視図である。
【００２２】
エアフィルタＦは、複数本の縦桟部ｆａと横桟部ｆｂとで矩形状に形成され、これら桟部ｆａ、ｆｂの間には極薄のシート部ｆｃが設けられる。上記シート部ｆｃには、空気の流通を許容するが、塵埃は捕捉する直径のフィルタ孔が開口され、実質的なフィルタ部になっている。
【００２３】
上記縦桟部ｆａの裏面側全長に亘って歯部ｆｅが連続して設けられ、タイミングベルト状をなす。各縦桟部ｆａの下端部は、最も下端側の横桟部ｆｂから下方に突出する突出部ｆａａとなっていて、この突出部ｆａａ裏面の歯部ｆｅにエアフィルタ清掃装置Ｓの後述するエアフィルタ移動機構Ｓａが連結される。
【００２４】
上記エアフィルタ清掃装置Ｓは、室内機本体１内に取付け固定されるエアフィルタ移動機構ＳａおよびブラシユニットＳｂと、室内機本体１に着脱自在に取付けられるダストボックスＳｃとから構成される。  
上記エアフィルタ移動機構Ｓａは、エアフィルタＦの突出部ｆａａ裏面の歯部ｆｅに噛合するエアフィルタ送りギヤ１５と、このエアフィルタ送りギヤ１５の回転軸１６ａに連結される駆動機構部１７からなる。
【００２５】
上記駆動機構部１７は、清掃装置支持枠６Ｂの一方の側片部外面に取付けられる６個の駆動モータのうち、上部３個の駆動モータと図示しないギヤ組立とから構成される。なお、下部の３個の駆動モータはブラシユニットＳｂの駆動用である。  
上記駆動機構部１７に駆動信号が入ることにより、エアフィルタ送りギヤ１５の回転軸１６ａが回転駆動される。このとき、エアフィルタ送りギヤ１５はエアフィルタＦの歯部ｆｅに噛合しているので、２枚のエアフィルタＦは同時に移動させられるようになっている。
【００２６】
上記ブラシユニットＳｂは、上記エアフィルタ送りギヤ１５の回転軸１６ａで、かつエアフィルタ送りギヤ１５相互間に設けられる塵埃押上げブラシ１６と、塵埃除去用ブレード１８と、これら塵埃押上げブラシ１６（エアフィルタ送りギヤ１５）の回転軸１６ａおよび塵埃除去用ブレード１８の回転軸１８ａを支持する枠体部１９とから構成される。
【００２７】
エアフィルタ送りギヤ１５はエアフィルタＦの縦桟部ｆａ裏面の歯部ｆｅと噛合するよう設けられるのに対して、塵埃押上げブラシ１６はエアフィルタｆの縦桟部ｆａ相互間に形成されるシート部ｆｃに対向して設けられる。  
塵埃押上げブラシ１６は、円筒体の周面にブラシ毛が植毛されてなる。上記塵埃除去用ブレード１８は、回転軸１８ａの周方向に所定間隔を存して複数条のブレード片（回転体）が設けられてなる。ブレード片は薄肉の弾性部材（たとえばゴム板）であり、回転軸１８ａの軸方向に沿って螺旋状に曲成される。
【００２８】
塵埃押上げブラシ１６のブラシ毛は、回転軸に対して略直立して植毛され、直径はエアフィルタＦのフィルタ孔直径よりも細い。塵埃押上げブラシ１６のブラシ毛先端が、塵埃除去用ブレード１８の先端と接触するように枠体部１９に支持される。上記塵埃除去用ブレード１８の回転速度は、塵埃押上げブラシ１６の回転速度よりも速く設定される。
【００２９】
図６は、ダストボックスＳｃを室内機本体１の所定部位である清掃装置支持枠６Ｂから取外す状態を示す図である。  
清掃装置支持枠６Ｂには塵埃除去用ブレード１８の前面部を覆う片部ｂが設けられ、この片部ｂの左右両側部と略中央部にダストボックス支持用片部２０が一体に突設される。ダストボックス支持用片部２０は略三角状に形成され、この頂点部分に支持用孔が設けられる。
【００３０】
清掃装置支持枠６Ｂは、ブラシユニットＳｂの塵埃押上げブラシ１６と塵埃除去用ブレード１８の背面側から、塵埃除去用ブレード１８の下方に延出され、さらに前方（手前側）に向って片部ｄが折曲される。清掃装置支持枠６Ｂの背面側下端部は前方に向って略コ字状をなし、ここにダストボックス支持凹部２２が形成される。
【００３１】
図５にも示すように、ダストボックスＳｃの前面側片部の左右両側に把手部２３が設けられ、左右両側部と略中央部にスライド用摘み２４が左右方向に移動自在に設けられる。図における左側部と中央部のスライド用摘み２４には左側方へピン部が突設され、右側部のスライド用摘み２４には右側方へピン部が突設される。
【００３２】
ダストボックスＳｃが清掃装置支持枠６Ｂに取付けられた状態で、ダストボックスＳｃのスライド用摘み２４に設けられるピン部が、清掃装置支持枠６Ｂのダストボックス支持用片部２０に設けられる支持用孔に挿入される。そして、ダストボックスＳｃの背面側下端部が清掃装置支持枠６Ｂのダストボックス支持凹部２２に嵌め込まれる。
【００３３】
再び図３に示すように、ダストボックスＳｃの前面側片部がブラシユニットＳｂを構成する塵埃押上げブラシ１６（エアフィルタ移動機構Ｓａを構成するエアフィルタ送りギヤ１５を含む）と、塵埃除去用ブレード１８の前面側および清掃装置支持枠６Ｂを構成するダストボックス支持用片部ｂを覆う。
【００３４】
そしてダストボックスＳｃは、塵埃除去用ブレード１８とは間隙を存した下方部位において背面側に延出され、上記ダストボックス支持凹部２２に嵌め込まれる断面凹状構造をなす。換言すれば、ダストボックスＳｃは塵埃除去用ブレード１８が位置する開口部を備え、この下部側がボックス構造をなし、ここに除去した塵埃を溜めることになる。
【００３５】
ダストボックスＳｃの開口部を形成する端縁部ｅは、長手方向に沿って連続するノコギリ歯状に形成されていて、塵埃除去用ブレード１８と接触位置にある。すなわち、塵埃除去用ブレード１８に塵埃が付着していても、回転にともなって上記端縁部ｅと接触することで、塵埃はブレード１８から掻き落されるようになっている。
【００３６】
図７（Ａ）と、図８（Ａ）および図９（Ａ）は、室内機本体１から取外し、もしくは室内機本体１に取付けられるダストボックスＳｃの斜視図と、側面図および断面図であり、図７（Ｂ）と、図８（Ｂ）および図９（Ｂ）は、塵埃を排出する状態でのダストボックスＳｃの斜視図と、側面図および断面図である。
【００３７】
上記ダストボックスＳｃは、塵埃押上げブラシ１６と塵埃除去用ブレード１８およびダストボックス支持用片部ｂを覆い前面側片部を形成する第１のボックス部２５Ａと、ダストボックス支持凹部２２に嵌め込まれ断面凹状構造をなす第２のボックス部２５Ｂとから構成される。
【００３８】
特に図８（Ａ）（Ｂ）に詳細に示すように、上記第１のボックス部２５Ａ下端の側片部に長孔支持部２６が設けられる。この長孔支持部２６は、上下に平行な平行辺部２６ａと、この平行辺部２６ａと連設され、平行辺部２６ａの上下方向寸法よりも大なる直径寸法の円形部２６ｂとからなる。
【００３９】
これに対して第２のボックス部２５Ｂの左右両片部には、上記長孔支持部２６の円形部２６ｂと同一直径で、かつ平行辺部２６ａの間隔寸法と同一の間隔寸法に平坦部が形成された受けピン部２７が設けられる。この受けピン部２７は、長孔支持部２６に嵌め込まれ、平行辺部２６ａと円形部２６ｂのいずれにも変位自在である。
【００４０】
さらに、第１のボックス部２５Ａの下端部で、この幅方向に沿って掛合用凹部２８が設けられる。第２のボックス部２５Ｂの底面部先端には、上記掛合用凹部２８に掛脱自在な掛止用爪部２９が設けられる。  
これら掛合用凹部２８と掛止用爪部２９との掛合は、室内機本体１に取付けられたダストボックスＳｃを、室内機本体１から取外す際、第１のボックス部２５Ａと第２のボックス部２５Ｂとの連結状態が容易には解除されないように保持するためのものである。
【００４１】
したがって、掛止用爪部２９の掛合用凹部２８に対する掛合度合は比較的弱く、第２のボックス部２５Ｂを第１のボックス部２５Ａから離れる方向にスライド付勢すれば、容易に掛止用爪部２９は掛合用凹部２８から抜け出すことができるように構成される。なお、図９（Ａ）（Ｂ）は掛合用凹部２８と掛止用爪部２９を誇張して描いている。
【００４２】
つぎに、上述のようにして構成される空気調和機の室内機の作用について説明する。  
冷房運転もしくは暖房運転等の空調運転開始の信号が制御部に入ると、冷凍サイクル運転が開始されるとともに、室内送風機８に駆動信号が送られる。開閉パネル２Ａが回動して前面吸込み口４が開放される。
【００４３】
室内空気は前面吸込み口４と上面吸込み口５から室内機本体１内に吸込まれ、送風路１０に沿って導かれる。はじめにエアフィルタＦを流通し、室内空気に含まれる塵埃は捕捉される。濾過され清浄化した室内空気は、熱交換器７を構成する前側熱交換器部７Ａと後側熱交換器部７Ｂに導かれる。
【００４４】
熱交換器７と室内空気は熱交換をなし、冷房運転モードが選択されていれば、室内空気は冷気となり、暖房運転モードが選択されていれば暖気に変る。熱交換空気は吹出し側の送風路１０に沿って導かれ、吹出し口９から吹出しルーバ１１ａ，１１ｂに案内されて室内へ吹出される。
【００４５】
冷気が室内に吹出されることにより室内温度が低下し、冷房作用をなす。暖気が室内に吹出されることにより室内温度が上昇し、暖房作用をなす。いずれにしても、室内機本体１内に吸込まれた室内空気はエアフィルタＦを流通する際に、室内空気に含まれる塵埃が捕捉され、常に清浄化した熱交換空気が室内に吹出されて、室内の清浄化をなす。
【００４６】
長期の使用に亘れば、エアフィルタＦに捕捉された塵埃が厚く積もり、目詰まりが生じる。そのまま放置すれば熱交換効率が低下して、冷房能力と暖房能力に影響が生じる。そこで、ユーザは空調運転に先立ち、もしくは空調運転の終了後に、リモコン（遠隔操作盤）に設けられる、「エアフィルタお掃除ボタン」を押す。  
制御部からエアフィルタ清掃装置Ｓの駆動機構部１７へ駆動信号が送られて、エアフィルタ送りギヤ１５とエアフィルタ押上げブラシ１６が一体に回転駆動されるとともに、塵埃除去用ブレード１８が回転駆動される。はじめ、エアフィルタ送りギヤ１５とエアフィルタ押上げブラシ１６が図１および図３の状態から反時計回り方向に回転する。
【００４７】
エアフィルタ送りギヤ１５とエアフィルタＦの歯部ｆｅが互いに噛合しているので、エアフィルタＦはそれまでの前面枠体１４ａと仕切りガイド桟との間から、仕切りガイド桟と後面枠体１４ｂとの間に移動する。このときエアフィルタ押上げブラシ１６のブラシ毛はエアフィルタＦのフィルタ孔に確実に挿入する。
【００４８】
エアフィルタＦのフィルタ孔に詰まっていた塵埃は、エアフィルタ押上げブラシ１６のブラシ毛によって押上げられ、さらに塵埃除去用ブレード１８により掻き落されてダストボックスＳｃ内に溜まる。
【００４９】
エアフィルタＦが全長に亘って仕切りガイド桟と後面枠体１４ｂとの間の空間スペースに納まったら、制御部は駆動機構部１７に一旦停止信号を送り、タイミングをとって反転駆動信号を送る。エアフィルタＦは再びエアフィルタ押上げブラシ１６と塵埃除去用ブレード１８との間を通過し、元の位置に戻る。  
このときも、エアフィルタＦのフィルタ孔に残留していた塵埃がエアフィルタ押上げブラシ１６によって押上げられ、塵埃除去用ブレード１８によってエアフィルタＦから確実に除去される。
【００５０】
結局、エアフィルタＦは往復の移動中に継続してエアフィルタ押上げブラシ１６によってフィルタ孔に目詰まりしている塵埃が押上げられ、塵埃除去用ブレード１８によって除去される。エアフィルタＦが元の位置に戻った状態で、エアフィルタＦに付着していた塵埃は完全に除去され、除去された塵埃の全てはダストボックスＳｃ内に溜められる。
【００５１】
「エアフィルタお掃除ボタン」を複数回押し、エアフィルタＦを清掃することで、ダストボックスＳｃ内の塵埃はほぼ満杯状態になる。このとき、何らかの報知信号がユーザになされるので、ユーザはダストボックスＳｃをエアフィルタ清掃装置Ｓから取外し、内部の塵埃を廃棄する必要がある。
【００５２】
図８（Ａ）に示すダストボックスＳｃを室内機本体１から取外し、もしくは室内機本体１に取付ける状態では、第２のボックス部２５Ｂの受けピン部２７が第１のボックス部２５Ａの長孔支持部２６における平行辺部２６ａに嵌め込まれ、第２のボックス部２５Ｂの掛止用爪部２９が第１のボックス部２５Ａの掛合用凹部２８に掛合している。
【００５３】
したがって、図７（Ａ）および図９（Ａ）にも示すように、ダストボックスＳｃは第１のボックス部２５Ａと第２のボックス部２５Ｂとでボックス構造に形成される。そのため、塵埃除去用ブレード１８によってエアフィルタＦから除去される塵埃をダストボックスＳｃ内に確実に溜められる。
【００５４】
図６に示すように、ダストボックスＳｃのスライド摘み２４をスライド付勢して、ピン部をダストボックス支持用片部２０の支持用孔から抜き出す。そして、ダストボックスＳｃの把手部２３を持って、ダストボックスＳｃの背面側下端部を清掃装置支持枠６Ｂのダストボックス支持凹部２２から抜き出す。
【００５５】
すなわち、ダストボックスＳｃを清掃装置支持枠６Ｂである室内機本体１から取出すことができる。このとき、ユーザの手指が塵埃押上げブラシ１６や塵埃除去用ブレード１８に接触することがないとともに、ダストボックスＳｃ内の塵埃に接触することがない。したがって、ユーザの手指が塵埃で汚れることはなく、清潔性を確保できる。
【００５６】
ダストボックスＳｃは取外し時に斜め姿勢になるうえに、それまで塵埃除去用ブレード１８で塞がれていた開口部が開放される。しかしながら塵埃は、ある程度固まった状態で貯溜されているので、開口部から外部へ脱落することはない。取出したダストボックスＳｃを、ゴミ箱等の排出部へ移動する間も同様であり、周辺部を汚すことはない。
【００５７】
排出部において図８（Ｂ）に示すように、ダストボックスＳｃを構成する第２のボックス部２５Ｂを第１のボックス部２５Ａと離間する方向にスライド付勢する。掛止用爪部２９が掛合用凹部２８から抜け出るとともに、受けピン部２７が長孔支持部２６における円形部２６ｂへ移動する。
【００５８】
この状態から第２のボックス部２５Ｂを図に矢印で示す時計回り方向に回動付勢する。第２のボックス部２５Ｂは受けピン部２７を中心に、円形部２６ｂにおいて回動する。したがって、図９（Ａ）に示すように、それまで断面略コ字状に形成されていた第２のボックス部２５Ｂが、図９（Ｂ）に示すように断面略Ｕ字状に変る。このときの状態を、図７（Ｂ）および図８（Ｂ）にも示している。
【００５９】
つぎに、ダストボックスＳｃを天地逆の姿勢に変え、もしくはそれに近い状態にして、ダストボックスＳｃに軽い衝撃を与えれば、塵埃は固まった状態のまま第２のボックス部２５Ｂから一度に容易に抜け出て排出部へ廃棄される。そのあとは逆の操作をして、ダストボックスＳｃを清掃装置支持枠６Ｂの所定部位に取付ければよい。
【００６０】
このように、排出部において第２のボックス部２５Ｂをスライド付勢するときと、回動付勢するとき、およびダストボックスＳｃを天地逆の反転姿勢、もしくはそれに近い状態にして塵埃を排出部に排出する作業の全てにおいても、ユーザの手指が塵埃で汚れることはなく、塵埃が落下して周辺部を汚すこともない。
【００６１】
すなわち、本発明のエアフィルタ清掃装置Ｓを採用すれば、ダストボックスＳｃに溜まった塵埃を外部に排出する際の作業手間の簡素化が得られるとともに、このとき塵埃がユーザの手指に付着したり、周辺部に落下することがなく、清潔性を確保できる。
【００６２】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【符号の説明】
【００６３】
１…室内機本体、４…前面吸込み口、５…上面吸込み口、９…吹出し口、１０…送風路、Ｆ…エアフィルタ、７…熱交換器、８…室内送風機、Ｓ…エアフィルタ清掃装置、Ｓａ…エアフィルタ移動機構、Ｓｂ…ブラシユニット、Ｓｃ…ダストボックス、２５Ａ…第１のボックス部、２５Ｂ…第２のボックス部。
【図１】
0005503953.tif 000002
【図２】
0005503953.tif 000003
【図３】
0005503953.tif 000004
【図４】
0005503953.tif 000005
【図５】
0005503953.tif 000006
【図６】
0005503953.tif 000007
【図７】
0005503953.tif 000008
【図８】
0005503953.tif 000009
【図９】
0005503953.tif 000010